(57)【要約】      （修正有）【課題】ホログラム素子を安価な構造で精密に位置決め固定する。【解決手段】ディスクＤの半径方向Ｏに沿って往復移動可能なスライドベース１５にレーザダイオードＢＤ・ＬＤ，ＤＶＤ−ＣＤ・ＬＤ及び読取用受光素子ＰＤが設けられ、そのレーザダイオードＢＤ・ＬＤ，ＤＶＤ−ＣＤ・ＬＤと読取用受光素子ＰＤとの間にホログラム素子ＨＯＥを含む光学系Ａが形成され、制御基板１６がスライドベース１５のディスク反対面に配置されており、レーザダイオードＢＤ・ＬＤ，ＤＶＤ−ＣＤ・ＬＤからレーザ光を光学系Ａの往路を通ってディスクＤに投射し、その反射光を光学系Ａの復路及びホログラム素子ＨＯＥを通って読取用受光素子ＰＤで受光させ、ディスクＤに記録されている情報を読み取るようにした光ピックアップにおいて、前記ホログラム素子ＨＯＥがスライドベース１５のディスク対向面１５ｂに形成した凹部１７内に配置されている。【選択図】図１
2012208971.tif 000002
【特許請求の範囲】
【請求項１】
ディスクの半径方向に沿って往復移動可能なスライドベースにレーザダイオード及び読
取用受光素子が設けられ、そのレーザダイオードと読取用受光素子との間にホログラム素
子を含む光学系が形成され、そのレーザダイオード及び読取用受光素子に接続した制御基
板がスライドベースのディスク反対面に配置されており、レーザダイオードからレーザ光
を光学系の往路を通ってディスクに投射し、その反射光を光学系の復路及びホログラム素
子を通って読取用受光素子で受光させ、ディスクに記録されている情報を読み取るように
した光ピックアップにおいて、前記ホログラム素子がスライドベースのディスク対向面に
形成した凹部内に配置されていることを特徴とする光ピックアップ。
【請求項２】
前記ホログラム素子を保持するホルダが磁性体からなり、該ホルダを調整具に磁気吸引
力で吸着させ、その調整具によりホルダを凹部内に挿入し、ホログラム素子の位置を微調
整した後、凹部内の隙間に接着剤を充填してホルダをスライドベースに固定するようにし
たことを特徴とする請求項１に記載の光ピックアップ。
【請求項３】
前記光学系に含まれるＢＤ用対物レンズとＤＶＤ−ＣＤ用対物レンズとがディスクの半
径方向に沿って所定間隔をおいて配置され、その両対物レンズをディスクの外周部に対向
させたときに、該ディスクから所定間隔離れた側方に前記凹部が形成されていることを特
徴とする請求項２に記載の光ピックアップ。
【発明の詳細な説明】
【技術分野】
【０００１】
本発明は、例えばＢｌｕ−ｒａｙ  Ｄｉｓｃ式のレコーダ（またはプレーヤ）などのデ
ィスク装置の光ピックアップに関し、特に、ホログラム素子を安価な構造で精密に位置決
め固定できるようにしたものである。
【背景技術】
【０００２】
従来、光ピックアップの一例として特許文献１に記載したものがある。これは、図５の
要部の概略構成図に示すように、ホログラム素子とレーザダイオード及びフォトダイオー
ド等を一体形成したホログラムレーザ１を有している。
【０００３】
光ピックアップの動作を説明すると、ＣＤ用ディスクＤに記録されている情報を読み取
る場合には、ホログラムレーザ１内のレーザダイオードからレーザ光を光学系Ａの往路（
コリメートレンズ２、ミラー３、ダイクロイックプリズム４、波長選択フィルタ５及び対
物レンズ６）を通ってディスクＤに投射し、その反射光を光学系Ａの復路、即ち、往路と
は逆の経路を通ってホログラムレーザ１に入射させ、その入射光がホログラムレーザ１の
ホログラム素子により偏向され分離された後にそのホログラムレーザ１のフォトダイオー
ドで受光され、ディスクＤに記録されている情報を読み取る。
【０００４】
ＤＶＤ用ディスクＤに記録されている情報を読み取る場合には、レーザダイオード７か
ら光学系Ａの往路（コリメートレンズ８、ビーム成型プリズム９，プリズム１０、ダイク
ロイックプリズム４、波長選択フィルタ５及び対物レンズ６）を通ってディスクＤに投射
し、その反射光を光学系Ａの復路、即ち、対物レンズ６から往路とは逆の経路を経由しプ
リズム１０及びレンズ１１を通ってフォトダイオード１２に受光させ、ディスクＤに記録
されている情報を読み取る。
【先行技術文献】
【特許文献】
【０００５】
【特許文献１】特開２００３−１８７４６１号公報
【発明の概要】
【発明が解決しようとする課題】
【０００６】
上記従来の構成では、ホログラム素子がレーザダイオード及びフォトダイオード等と一
体形成された状態でホログラムレーザ１内に組み込まれており、その組み込み作業を極小
の空間内で精密に行う必要があるので、高価につくという欠点がある。
【０００７】
本発明は、上記従来の欠点に鑑み、ホログラム素子を安価な構造で精密に位置決め固定
できるようにした光ピックアップを提供することを目的としている。
【課題を解決するための手段】
【０００８】
上記目的を達成するため、請求項１に記載の発明は、ディスクの半径方向に沿って往復
移動可能なスライドベースにレーザダイオード及び読取用受光素子が設けられ、そのレー
ザダイオードと読取用受光素子との間にホログラム素子を含む光学系が形成され、そのレ
ーザダイオード及び読取用受光素子に接続した制御基板がスライドベースのディスク反対
面に配置されており、レーザダイオードからレーザ光を光学系の往路を通ってディスクに
投射し、その反射光を光学系の復路及びホログラム素子を通って読取用受光素子で受光さ
せ、ディスクに記録されている情報を読み取るようにした光ピックアップにおいて、前記
ホログラム素子がスライドベースのディスク対向面に形成した凹部内に配置されているこ
とを特徴としている。
【０００９】
請求項２に記載の発明は、請求項１に記載の発明において、前記ホログラム素子を保持
するホルダが磁性体からなり、該ホルダを調整具に磁気吸引力で吸着させ、その調整具に
よりホルダを凹部内に挿入し、ホログラム素子の位置を微調整した後、凹部内の隙間に接
着剤を充填してホルダをスライドベースに固定するようにしたことを特徴としている。
【００１０】
請求項３に記載の発明は、請求項２に記載の発明において、前記光学系に含まれるＢＤ
用対物レンズとＤＶＤ−ＣＤ用対物レンズとがディスクの半径方向に沿って所定間隔をお
いて配置され、その両対物レンズをディスクの外周部に対向させたときに、該ディスクか
ら所定間隔離れた側方に前記凹部が形成されていることを特徴としている。
【発明の効果】
【００１１】
請求項１に記載の発明によれば、ホログラム素子を配置するための凹部をスライドベー
スのディスク対向面に形成しているので、該スライドベースのディスク反対面に配置した
制御基板や該制御基板とレーザダイオード及び読取用受光素子とを接続する配線に干渉さ
れることなく、ホログラム素子の位置決め固定作業を容易に行うことができる。
【００１２】
また、ホログラム素子を光学系の他の光学部品から独立させているので、従来のホログ
ラム素子をホログラムレーザ内に組み込む場合に比べて構造が簡単で制作費を安くするこ
とができる。
【００１３】
請求項２に記載の発明によれば、ホログラム素子を保持する磁性体製ホルダを調整具に
磁気吸引力で吸着させ、該調整具によりホルダを凹部内に挿入し、ホログラム素子の位置
を微調整した後に接着剤で固定することにより、そのホログラム素子の位置決め固定を精
密に行うことができ、そのホログラム素子により迷光の影響を受けることなく制御信号を
確実に取り出すことができる。従って、近年のディスクの記録容量増加に伴う記録層の多
層化（３層以上）及び層間距離の短縮化により発生する迷光の悪影響を解消することがで
きる。
【００１４】
請求項３に記載の発明によれば、ＢＤ用対物レンズとＤＶＤ−ＣＤ用対物レンズとがデ
ィスクの半径方向に沿って所定間隔をおいて配置され、その両対物レンズをディスクの外
周部に対向させたときに、該ディスクから所定間隔離れた側方に前記凹部が形成されてい
るので、該凹部内に挿入したホログラム素子がディスクから離れて外部に露出されること
になり、そのホログラム素子の位置を微調整する際には、ディスクを回転させながら読取
用受光素子の信号を見て該ディスクに調整具が当たらないようにして、ホログラム素子の
位置調整を迅速容易に行うことができる。
【図面の簡単な説明】
【００１５】
【図１】本発明の実施の一形態である光ピックアップの平面図である。
【図２】同一部切欠き側面図である。
【図３】同要部の概略構成図である。
【図４】（ａ）〜（ｃ）はホログラム素子の固定手順を示す説明図である。
【図５】従来例の要部の概略構成図である。
【発明を実施するための形態】
【００１６】
図１〜４は本発明の実施の一形態である光ピックアップを示すものであって、これはＢ
ｌｕ−ｒａｙ  Ｄｉｓｃ式のレコーダ（またはプレーヤ）用であって、ガイドレール１４
に移動可能に支持されてディスクＤの半径方向Ｏに沿って移動可能なスライドベース１５
にＢＤ用レーザダイオードＢＤ・ＬＤ及びＤＶＤ−ＣＤ用レーザダイオードＤＶＤ−ＣＤ
・ＬＤとフォトダイオードからなる読取用受光素子ＰＤが設けられ、その両レーザダイオ
ードＢＤ・ＬＤ，ＤＶＤ−ＣＤ・ＬＤと読取用受光素子ＰＤとの間にホログラム素子ＨＯ
Ｅを含む光学系Ａが形成されている。
【００１７】
図１及び図２に示すように、プリント配線基板からなる制御基板１６がスライドベース
１５のディスク反対面１５ａに配置され、該スライドベース１５のディスク対向面１５ｂ
にホログラム素子ＨＯＥを配置するための凹部１７が形成されている。なお、図２中、１
８は制御基板１６に設けたコネクタであって、両レーザダイオードＢＤ・ＬＤ，ＤＶＤ−
ＣＤ・ＬＤ及び読取用受光素子ＰＤより延びるフレキシブルフラットケーブルからなる配
線（図示せず）を制御基板１６に接続する。
【００１８】
光ピックアップの動作を説明すると、ＢＤ用ディスクＤに記録されている情報を読み取
る場合には、ＢＤ用レーザダイオードＢＤ・ＬＤからレーザ光を光学系Ａの往路（回折格
子ＧＲＴ１、偏光ビームスプリッタＰＢＳ、１／４波長板ＱＷＰ、球面収差補正用コリメ
ートレンズＣＬ、折り返しミラーＬＭ、反射ミラーＭ１及びＢＤ用対物レンズＢＤ・ＯＬ
）を通ってＢＤ用ディスクＤに投射し、その反射光を光学系Ａの復路（ＢＤ用対物レンズ
ＢＤ・ＯＬから往路とは逆の経路を経由して偏光ビームスプリッタＰＢＳに戻り、ビーム
スプリッタＢＳ、ホログラム素子ＨＯＥ及びシリントリカルレンズＣＹＬ）を通って読取
用受光素子ＰＤに受光させ、ＢＤ用ディスクＤに記録されている情報を読み取る。
【００１９】
ＤＶＤ−ＣＤ用ディスクＤに記録されている情報を読み取る場合には、ＤＶＤ−ＣＤ用
レーザダイオードＤＶＤ−ＣＤ・ＬＤからレーザ光を光学系Ａの往路（１／２波長板ＨＷ
Ｐ、回折格子ＧＲＴ２、ビームスプリッタＢＳ、偏光ビームスプリッタＰＢＳ、１／４波
長板ＱＷＰ、球面収差補正用コリメートレンズＣＬ、折り返しミラーＬＭ、反射ミラーＭ
２及びＤＶＤ−ＣＤ用対物レンズＤＶＤ−ＣＤ・ＯＬ）を通ってＤＶＤ−ＣＤ用ディスク
Ｄに投射し、その反射光を光学系Ａの復路（ＤＶＤ−ＣＤ用対物レンズＤＶＤ−ＣＤ・Ｏ
Ｌから往路とは逆の経路を経由して偏光ビームスプリッタＰＢＳに戻り、ビームスプリッ
タＢＳ、ホログラム素子ＨＯＥ及びシリントリカルレンズＣＹＬ）を通って読取用受光素
子ＰＤに受光させ、ＤＶＤ−ＣＤ用ディスクＤに記録されている情報を読み取る。
【００２０】
上記した情報の読み取り操作と同時に、前記折り返しミラーＬＭを通過したレーザ光が
反射板Ｍ３を介してフォトダイオードからなる光量検知用素子ＦＭＰＤで受光され、受光
量が検知される。
【００２１】
図１に示すように、ＢＤ用対物レンズＢＤ・ＯＬとＤＶＤ−ＣＤ用対物レンズＤＶＤ−
ＣＤ・ＯＬとがディスクの半径方向Ｏに沿って所定間隔をおいて配置され、その両対物レ
ンズＢＤ・ＯＬ，ＤＶＤ−ＣＤ・ＯＬをディスクＤの外周部に対向させたときに、該ディ
スクＤから所定間隔ｈ離れた側方に前記凹部１７が形成されている。
【００２２】
図１、図２及び図３に示すように、前記ホログラム素子ＨＯＥは鉄板などの磁性体から
なるホルダ１９に固着されており、該ホルダ１９は、１枚の板材を二つ折りして重ね合わ
せたものであって、縦板部１９ａと、該縦板部１９ａの上端から直角に折り曲げた横板部
１９ｂとを有し、縦板部１９ａの透孔２０にホログラム素子ＨＯＥが固着され、横板部１
９ｂに丸孔形と長孔形の一対のピン孔２１が貫設されている。図４（ａ）中、２２は調整
具であって、先端部に一対のピン２２ａを有し、該両ピン２２ａにはマグネットまたは励
磁したコイルで磁気吸引力を発生させる。
【００２３】
ホログラム素子ＨＯＥの固定手順を説明すると、調整具２２のピン２２ａをホルダ１９
のピン孔２１に差し込み、該ピン２２ａに磁気吸引力を発生させて、調整具２２にホルダ
１９を吸着させる。続いて、図４（ｂ）（ｃ）に示すように、調整具２２を操作してホル
ダ１９を凹部１７内に挿入し、ディスクＤを回転させ読取用受光素子ＰＤの信号を見なが
ら調整具２２によりホルダ１９を上下左右に動かしたりそれを回転させて、ホログラム素
子ＨＯＥの位置を微調整した後、紫外線硬化性接着剤ＵＶを凹部１７内の隙間に充填し、
紫外線を照射して紫外線硬化性接着剤ＵＶを固化させることによりホルダ１９をスライド
ベース１５に固定し、そのホルダ１９から調整具２２を離間させる。
【００２４】
上記構成によれば、ホログラム素子ＨＯＥを配置するための凹部１７をスライドベース
１５のディスク対向面１５ｂに形成しているので、該スライドベース１５のディスク反対
面１５ａに配置した制御基板１６や該制御基板１６とレーザダイオードＢＤ・ＬＤ，ＤＶ
Ｄ−ＣＤ・ＬＤ及び読取用受光素子ＰＤとを接続する配線（図示せず）に干渉されること
なく、ホログラム素子ＨＯＥの位置決め固定作業を容易に行うことができる。
【００２５】
また、ホログラム素子ＨＯＥを光学系の他の光学部品から独立させているので、従来の
ホログラム素子ＨＯＥをホログラムレーザ１（図５参照）内に組み込む場合に比べて構造
が簡単で制作費を安くすることができる。
【００２６】
更に、ホログラム素子ＨＯＥを保持する磁性体製ホルダ１９を調整具２２に磁気吸引力
で吸着させ、該調整具２２によりホルダ１９を凹部１７内に挿入し、ホログラム素子ＨＯ
Ｅの位置を微調整した後に紫外線硬化性接着剤ＵＶで固定することにより、そのホログラ
ム素子ＨＯＥの位置決め固定を精密に行うことができ、そのホログラム素子ＨＯＥにより
迷光の影響を受けることなく制御信号を確実に取り出すことができる。従って、近年のデ
ィスクＤの記録容量増加に伴う記録層の多層化（３層以上）及び層間距離の短縮化により
発生する迷光の悪影響を解消することができる。
【００２７】
しかも、ＢＤ用対物レンズＢＤ・ＯＬとＤＶＤ−ＣＤ用対物レンズＤＶＤ−ＣＤ・ＯＬ
とがディスクの半径方向Ｏに沿って所定間隔をおいて配置され、その両対物レンズＢＤ・
ＯＬ，ＤＶＤ−ＣＤ・ＯＬをディスクＤの外周部に対向させたときに、該ディスクＤから
所定間隔ｈ離れた側方に前記凹部１７が形成されているので、該凹部１７内に挿入したホ
ログラム素子ＨＯＥがディスクＤから離れて外部に露出されることになり、そのホログラ
ム素子ＨＯＥの位置を微調整する際には、ディスクＤを回転させながら読取用受光素子Ｐ
Ｄの信号を見て該ディスクＤに調整具２２が当たらないようにして、ホログラム素子ＨＯ
Ｅの位置調整を迅速容易に行うことができる。
【００２８】
図１に示すように、回折格子ＧＲＴ１がスライドベース１５のディスク対向面１５ｂに
形成した凹部２４内に位置決め固定されており、前述したホログラム素子ＨＯＥを位置決
め固定する場合と同様の効果を得ることができる。
【符号の説明】
【００２９】
１５                スライドベース
１５ａ              スライドベースのディスク反対面
１５ｂ              スライドベースのディスク対向面
１６                制御基板
１７                凹部
１９                ホルダ
２２                調整具
Ｄ                  ディスク
ＢＤ・ＬＤ          ＢＤ用レーザダイオード
ＤＶＤ−ＣＤ・ＬＤ  ＤＶＤ−ＣＤ用レーザダイオード
ＰＤ                読取用受光素子
ＨＯＥ              ホログラム素子
Ｏ                  ディスクの半径方向
Ａ                  光学系
【図１】
2012208971.tif 000003
【図２】
2012208971.tif 000004
【図３】
2012208971.tif 000005
【図４】
2012208971.tif 000006
【図５】
2012208971.tif 000007